(57)【要約】      （修正有）【課題】学童が高学年になっても背負いやすいランドセルを提供する。【解決手段】教科書やノートなどを収容するランドセル本体２と、ランドセル本体を被う蓋板と、ランドセル本体を背負う背負いベルトから構成されるランドセル１において、ランドセル本体２の前前面に背板４を取付けた主収容室３と副収容室６と前ポケット８からなるランドセル本体２と、ランドセル本体の上面全体を覆う蓋板９と、背板４の上部中央に上端を取付けた背負ベルト１１とからなるランドセル１において、主収容室３の両側に設けた大マチ部５の下部または背板４の下部両側と大マチ部５の両側下部との間にベルト連結具２０ａを取付け、ベルト連結具の上端に背負いベルト１１の下部を連結してなることを特徴とする。【選択図】図１
0003201720.tif 000002
【実用新案登録請求の範囲】
【請求項１】
前面に背板（４）を取付けた主収容室（３）と副収容室（６）と前ポケット（８）からなるランドセル本体（２）と、該ランドセル本体の上面全体を覆う蓋板（９）と、前記背板（４）の上部中央に上端を取付けた背負ベルト（１１）とからなるランドセル（１）において、前記主収容室（３）の両側に設けた大マチ部（５）の下部または前記背板（４）の下部両側と前記大マチ部（５）の両側下部との間にベルト連結具（２０ａ、２０ｂ、５０、５０´）を取付け、該ベルト連結具の上端に前記背負いベルト（１１）の下部を連結してなることを特徴とするランドセル。
【請求項２】
前記背負いベルト（１１）は、ランドセル（１）の背板（４）の上部中央に上端を取付けた肩ベルト（１２）と、下端を前記ベルト連結具（２０ａ、２０ｂ、５０、５０´）に取付けた下部ベルト（１３、１６）とからなり、該下部ベルトの上端と、前記肩ベルト（１２）の下端とを長さ調節可能に連結してなることを特徴とする請求項１記載のランドセル。
【請求項３】
前記第１のベルト連結具（２０ａ）は、前記主収容室（３）の両側大マチ部（５）の下部で対称位置に取付けるかぶせ片（２１ａ）と、該かぶせ片の裏面に設けた係止軸部（２３ａ）に回動可能に遊嵌する接続環（３８ａ）と、前記主収容室（３）の内壁面側から前記かぶせ片（２１ａ）を支持固定する固定板（３２ａ）と、からなることを特徴とする請求項１記載のランドセル。
【請求項４】
前記第１のベルト連結具（２０ａ）を構成するかぶせ片（２１ａ）は、かぶせ部（２２ａ）の裏面一側に係止軸部（２３ａ）を設け、該係止軸部を中心として放射方向にガイド部（２４ａ）を一体に形成し、該ガイド部と前記係止軸部（２３ａ）の軸心方向にそれぞれ支持穴（２５ａ）を設け、前記係止軸部（２３ａ）に前記下部ベルト（１３、１６）の下端を連結した接続環（３８ａ）の支持孔（３９ａ）を回動可能に遊嵌してなり、前記固定板（３２ａ）は、前記かぶせ片（２１ａ）に設けた複数の支持穴（２５ａ）とそれぞれ合致する位置にピン孔（３３ａ）を設けてなることを特徴とする請求項１または３記載のランドセル。  
【請求項５】
前記第２のベルト連結具（２０ｂ）は、前記主収容室（３）の両側大マチ部（５）の下部で対称位置に取付ける基板（２７）と、該基板に嵌合するかぶせ片（２１ｂ）と、該かぶせ片の裏面に設けた係止軸部（２３ｂ）に回動可能に遊嵌する接続環（３８ｂ）と、前記主収容室（３）の内壁面側から前記基板（２７）とかぶせ片（２１ｂ）を支持固定する固定板（３２ｂ）と、からなることを特徴とする請求項１記載のランドセル。
【請求項６】
前記第２のベルト連結具（２０ｂ）を構成するかぶせ片（２１ｂ）は、かぶせ部（２２ｂ）の裏面一側に係止軸部（２３ｂ）を設け、該係止軸部を中心として放射方向にガイド部（２４ｂ）を一体に形成し、該ガイド部と前記係止軸部（２３ｂ）の軸心方向に支持穴（２５ｂ）をそれぞれ設け、前記係止軸部（２３ｂ）に前記下部ベルト（１３、１６）の下端を連結した接続環（３８ｂ）の支持孔（３９ｂ）を回動可能に遊嵌してなり、前記基板（２７）は、前記かぶせ片（２１ｂ）の係止軸部（２３ｂ）とガイド部（２４ｂ）が合致する位置に係止軸溝部（２８）とガイド溝部（２９）を設けてなり、前記固定板（３２ｂ）は、前記かぶせ片（２１ｂ）に設けた複数の支持穴（２５ｂ）と、基板（２７）に設けた複数のピン孔（３０）とそれぞれ合致する位置に鍔付ピン孔（３３）を設けてなることを特徴とする請求項１または５記載のランドセル。
【請求項７】
前記第１、２のベルト連結具（２０ａ、２０ｂ）は、前記主収容室（３）の両側大マチ部（５）の下部で対称位置に取付けた補強板（３５）を介して取付けてなることを特徴とする請求項３または５記載のランドセル。
【請求項８】
前記第３のベルト連結具（５０）は、合成繊維材または帆布材などの布地からなり、該第３のベルト連結具の下端は、前記主収容室（３）の両側大マチ部（５）の下部で対称位置に取付けてなり、前記大マチ部（５）の端部から背板（４）側に突出させた取付部（５１）に、前記下部ベルト（１３）の下端を縫着固定してなることを特徴とする請求項１記載のランドセル。
【請求項９】
前記第４のベルト連結具（５０´）は、合成繊維材または帆布材などの布地からなり、該第４のベルト連結具の下端は、前記ランドセル（１）の背板（４）の両側下部と主収容部（３）の両側大マチ部（５）との接合部分で対称位置に取付けてなり、前記大マチ部（５）の端部から背板（４）側に突出させた取付部（５１´）に、前記下部ベルト（１３）の下端を縫着固定してなることを特徴とする請求項１記載のランドセル。
【請求項１０】
前記下部ベルト（１３）は、合成繊維材により形成した帯地片（１４）からなり、下端は前記第１、２のベルト連結具（２０ａ、２０ｂ）を構成する接続環（３８ａ、３８ｂ）の接続部（４０ａ、４０ｂ）に連結または前記第３、４のベルト連結具（５０、５０´）の取付部（５１、５１´）に連結し、上端は前記肩ベルト（１２）の下端に設けた長さ調節片（１５）に連結して背負ベルト（１１）を形成してなることを特徴とする請求項２記載のランドセル。
【請求項１１】
前記下部ベルト（１６）は、皮革材または合成皮革材などからなるベルト地（１７）で、下端は前記第１、２のベルト連結具（２０ａ、２０ｂ）を構成する接続環（３８ａ、３８ｂ）の接続部（４０ａ、４０ｂ）に連結し、上端に取付けたバックル部（１８）と前記肩ベルト（１２）の下端とを長さ調節可能に連結して背負いベルト（１１）を形成してなることを特徴とする請求項２記載のランドセル。
【考案の詳細な説明】
【技術分野】
【０００１】
本考案は、学童用ランドセルの改良に関する。
【背景技術】
【０００２】
従来、学童用ランドセルは、体力のない小さな小学１年生から成長著しい大きな６年生までの６年間使用できるようにさまざまな工夫がなされている。
特に、高学年になると学童の身長が伸びるに伴い肩幅が広くなることから、ランドセルの背負い降ろしが窮屈とならないよう背負帯の長さを調節可能に形成してある。
【０００３】
通常、ランドセルに取付ける背負ベルトは、皮革または合成皮革材により帯状の長尺な肩ベルトと、短尺な下部ベルトとからなり、肩ベルトは、一端を背板の上端中央に取付けた背環に連結し、下部ベルトは一端をランドセルの底面中央に取付けた尾錠の左右に回転可能に取付けた連結具（いわゆるだるま環）に連結されている。前記背負ベルトは、下部ベルトに取付けられたバックル（図示せず）と肩ベルトの先端に設けた複数の係止孔（図示せず）とを着脱可能に連結して肩ベルトの長さを調節して使用することが知られている。
【先行技術文献】
【特許文献】
【０００４】
【特許文献１】特開平９−２６２１１４号
【特許文献２】登録実用新案第３０１１７０７号
【０００５】
しかし、昨今の学童の成長は著しく特に高学年になると大人と同じくらいの肩幅を有する学童も珍しくはない。そのため高学年になると背負ベルトの長さを一杯に伸ばしてもランドセルを背負うとき腕を通しにくくなる。そのため、肩ベルトの穴の数を増やすことなどによりベルトの長さを伸ばして背負い難さに対応している。
【０００６】
また、ランドセルに取付けてある下部ベルトは、前記したごとくランドセルの底面中央に設けた尾錠の左右に回転可能に位置しただるま環に連結されているため、成長が著しい高学年や冬季などの着膨れ時期になると肩ベルトの長さを最大に伸ばしても、下部ベルトの支点が固定されており横幅方向に広げることができなかった。そのため、脇が窮屈になり背負ベルトの輪に腕をスムースに通すのが困難となり、ランドセルの背負い降ろしが窮屈である。さらには、肩ベルトの長さをさらに長くして輪を大きくして調節すると、ランドセルを背負ったとき、ランドセルの上方と背中が遊離してランドセルが下方に下がって歩行中にランドセルが上下動し安定せず歩き難くい。
【０００７】
そのため、下部ベルトを体型に添って曲線状に形成した背負いベルトもあるが、下部ベルトの支点はランドセルの底面に固定されたままで、ランドセルの幅方向への移動はできないため、脇部分が広がらず高学年の学童にとってランドセルの背負い降しが不便であり、また、背負ベルトの製造に手間がかかりコスト高になるなど多くの問題点を有している。
【考案の概要】
【考案が解決しようとする課題】
【０００８】
そこで、本考案はランドセルの下面に取付けてあるベルト連結具（だるま環）の取付け位置をランドセルの底面から大マチ部の外壁面下方に取付けて下支点を幅方向に広げることによりランドセルの背負い降しをスムースにして背負いやすくし、且つ、ランドセルの幅方向に突出するベルト連結具の突出部分を極力少なくして連結具の破損や事故による怪我を防止すると共に、ランドセルの軽量化と製造コストの軽減を図ることを目的とするものである。
【課題を解決するための手段】
【０００９】
上記課題を達成するため本考案は、前面に背板４を取付けた主収容室３と副収容室６と前ポケット８からなるランドセル本体２と、該ランドセル本体の上面全体を覆う蓋板９と、前記背板４の上部中央に上端を取付けた背負ベルト１１とからなるランドセル１において、前記主収容室３の両側に設けた大マチ部５の下部または前記背板４の下部両側と前記大マチ部５の両側下部との間にベルト連結具２０ａ、２０ｂ、５０、５０´を取付け、該ベルト連結具の上端に前記背負いベルト１１の下部を連結してなることを特徴とする。また、前記背負いベルト１１は、ランドセル１の背板４の上部中央に上端を取付けた肩ベルト１２と、下端を前記ベルト連結具２０ａ、２０ｂ、５０、５０´に取付けた下部ベルト１３、１６とからなり、該下部ベルトの上端と、前記肩ベルト１２の下端とを長さ調節可能に連結してなることを特徴とする。さらに、前記第１のベルト連結具２０ａは、前記主収容室３の両側大マチ部５の下部で対称位置に取付けるかぶせ片２１ａと、該かぶせ片の裏面に設けた係止軸部２３ａに回動可能に遊嵌する接続環３８ａと、前記主収容室３の内壁面側から前記かぶせ片２１ａを支持固定する固定板３２ａと、からなることを特徴とする。さらにはまた、前記第１のベルト連結具２０ａを構成するかぶせ片２１ａは、かぶせ部２２ａの裏面一側に係止軸部２３ａを設け、該係止軸部を中心として放射方向にガイド部２４ａを一体に形成し、該ガイド部と前記係止軸部２３ａの軸心方向にそれぞれ支持穴２５ａを設け、前記係止軸部２３ａに前記下部ベルト１３、１６の下端を連結した接続環３８ａの支持孔３９ａを回動可能に遊嵌してなり、前記固定板３２ａは、前記かぶせ片２１ａに設けた複数の支持穴２５ａとそれぞれ合致する位置にピン孔３３ａを設けてなることを特徴とする。また、前記第２のベルト連結具２０ｂは、前記主収容室３の両側大マチ部５の下部で対称位置に取付ける基板２７と、該基板に嵌合するかぶせ片２１ｂと、該かぶせ片の裏面に設けた係止軸部２３ｂに回動可能に遊嵌する接続環３８ｂと、前記主収容室３の内壁面側から前記基板２７とかぶせ片２１ｂを支持固定する固定板３２ｂと、からなることを特徴とする。さらに、前記第２のベルト連結具２０ｂを構成するかぶせ片２１ｂは、かぶせ部２２ｂの裏面一側に係止軸部２３ｂを設け、該係止軸部を中心として放射方向にガイド部２４ｂを一体に形成し、該ガイド部と前記係止軸部２３ｂの軸心方向に支持穴２５ｂをそれぞれ設け、前記係止軸部２３ｂに前記下部ベルト１３、１６の下端を連結した接続環３８ｂの支持孔３９ｂを回動可能に遊嵌してなり、前記基板２７は、前記かぶせ片２１ｂの係止軸部２３ｂとガイド部２４ｂが合致する位置に係止軸溝部２８とガイド溝部２９を設けてなり、前記固定板３２ｂは、前記かぶせ片２１ｂに設けた複数の支持穴２５ｂと、基板２７に設けた複数のピン孔３０とそれぞれ合致する位置に鍔付ピン孔３３を設けてなることを特徴とする。さらにはまた、前記第１、２のベルト連結具２０ａ、２０ｂは、前記主収容室３の両側大マチ部５の下部で対称位置に取付けた補強板３５を介して取付けてなることを特徴とする。また、前記第３のベルト連結具５０は、合成繊維材または帆布材��どの布地からなり、該第３のベルト連結具の下端は、前記主収容室３の両側大マチ部５の下部で対称位置に取付けてなり、前記大マチ部５の端部から背板４側に突出させた取付部５１に、前記下部ベルト１３の下端を縫着固定してなることを特徴とする。さらに、前記第４のベルト連結具５０´は、合成繊維材または帆布材などの布地からなり、該第４のベルト連結具の下端は、前記ランドセル１の背板４の両側下部と主収容部３の両側大マチ部５との接合部分で対称位置に取付けてなり、前記大マチ部５の端部から背板４側に突出させた取付部５１´に、前記下部ベルト１３の下端を縫着固定してなることを特徴とする。さらにはまた、前記下部ベルト１３は、合成繊維材により形成した帯地片１４からなり、下端は前記第１、２のベルト連結具２０ａ、２０ｂを構成する接続環３８ａ、３８ｂの接続部４０ａ、４０ｂに連結または前記第３、４のベルト連結具５０、５０´の取付部５１、５１´に連結し、上端は前記肩ベルト１２の下端に設けた長さ調節片１５に連結して背負ベルト１１を形成してなることを特徴とする。また、前記下部ベルト１６は、皮革材または合成皮革材などからなるベルト地１７で、下端は前記第１、２のベルト連結具２０ａ、２０ｂを構成する接続環３８ａ、３８ｂの接続部４０ａ、４０ｂに連結し、上端に取付けたバックル部１８と前記肩ベルト１２の下端とを長さ調節可能に連結して背負いベルト１１を形成してなることを特徴とする。
【００１０】
したがって、ベルト連結具２０ａ、２０ｂ、５０、５０´を大マチ部５の外壁面下方に取付けることにより、背負いベルト１１の下支点を幅方向に広げて背負いベルト１１の脇部分を広くすることができるので、学童が高学年になってもランドセルの背負い降しが楽でスムースの行うことができる。また、下部ベルト１３を合成繊維材からなる布地により形成したことにより、軽量で丈夫な下部ベルトを形成することができる。さらに、ベルト連結具２０ａ、２０ｂ、５０、５０´を硬質合成樹脂材または布材などで形成したことにより、ランドセルの横幅方向への突出部分を極力少なくすることができ、ベルト連結具２０ａ、２０ｂの破損や事故などを防止できる。さらには、大マチ部５の壁面に補強板３５を貼着して第１、２のベルト連結具２０ａ、２０ｂを取付けることにより、外部からの衝撃による第１、２のベルト連結具２０ａ、２０ｂの破損や脱落を防止することができる。さらにはまた、第３、４ベルト連結具５０、５０´や下部ベルト１３に布材を使用することによりランドセルの軽量化と構造の簡略化を図ることができるので、ランドセルの製造コストの軽減を図ることができる。  
【図面の簡単な説明】
【００１１】
【図１】図１は本考案にかかるランドセルの実施形態を示す側面図である。
【図２】図２は第１のベルトベルト連結具の平面図である。
【図３】図３は第１のベルト連結具の分解斜視図である。
【図４】図４は第１のベルト連結具の側面図である。
【図５】図５は第１のベルト連結具のかぶせ片の底面図である。
【図６】図６は第２のベルト連結具の分解斜視図である。
【図７】図７は第２のベルト連結具の側面図である。
【図８】図８は第２のベルト連結具の中央縦断面図である。
【図９】図９は第２のベルト連結具の中央横断面図である。
【図１０】図１０は第２のベルト連結具のかぶせ片の底面図である。
【図１１】図１１は第２のベルト連結具の基板の平面図である。
【図１２】図１２は図１１のＡ―Ａ線断面図である。
【図１３】図１３は第２のベルト連結具の固定板の平面図である。
【図１４】図１４は図１３のＢ―Ｂ線断面図である。
【図１５】図１５は補強板を取付けた第１、２のベルト連結具の側面図である。
【図１６Ａ】図１６Ａは布製下部ベルトの平面図である。
【図１６Ｂ】図１６Ｂは革製下部ベルトの平面図である。
【図１７】図１７は第３のベルト連結具の側面図である。
【図１８】図１８は第４のベルト連結具の側面図である。
【考案を実施するための最良の形態】
【００１２】
本考案の第１の実施の形態を図面に基づいて説明すると、図１は本考案にかかるランドセルの実施形態を示す側面図、図２は第１のベルト連結具の平面図、図３は第１のベルト連結具の分解斜視図、図４は第１のベルト連結具の側面図、図５は第１のベルト連結具のかぶせ片の底面図である。ランドセル１は、主収容室３、副収容室６、前ポケット８とからなるランドセル本体２と、このランドセル本体２を覆う蓋板９と、ランドセル本体２を背負う一対の背負ベルト１１とにより構成されている。  
【００１３】
前記ランドセル本体２を構成する主収容室３は、図１に示すごとく、大マチ部５の上縁を除く三辺に設けた縫代部を内側に折り曲げて背板４の周縁と縫着して形成したことにより縫着部（いわゆるコバ）をランドセルの外側に突出さないように大マチ部５の側面を面一に形成してある。したがって、ランドセル１を背負ったときに下部ベルト１３、１６がランドセル１の側面縫着部に当たらないようにしてあるのでランドセル１や下部ベルト１３、１６にキズが付くのを防止することができる。
【００１４】
前記背負ベルト１１は、図１、１６に示すごとく、一対の長尺な肩ベルト１２と同じく一対の短尺な下部ベルト１３、１６とからなり、肩ベルト１２の上端は前記背板４の上端中央に取付けた背環（図示せず）に連結し、下端は長さ調節片１５やバックル部１８を介して下部ベルト１３、１６と連結してある。下部ベルト１３、１６は、下端をランドセル１の大マチ部５に設けたベルト連結片２０、５０にそれぞれ取付けると共に、上端は前記長さ調節片１５やバックル部１８を介してベルトの長さを調節可能に肩ベルト１２に連結してある。
【００１５】
図１６Ａに示す下部ベルト１３は、合成繊維材により形成した帯地片１４の下端を前記ベルト連結具２０に回動可能に遊嵌した接続環３８のベルト孔４０に連結し、上端は背負ベルト１１を構成する肩ベルト１２の下端に取付けた長さ調節片１５に連結してある。下部ベルト１３を合成繊維材により形成したことにより、軽量で丈夫に形成することができ、さらにはコストを安価にすることができ大変経済的である。
【００１６】
図１６Ｂに示す下部ベルト１６は、皮革材または合成皮革材などからなるベルト地１７の下端に、前記ベルト連結具２０に回動可能に遊嵌した接続環３８の接続部４０を連結し、上端を背負ベルト１１の肩ベルト１２の下端と連結するバックル部１８に取付けて連結してある。下部ベルト１６を皮革材により形成したことにより、ランドセルに高級感をもたせることができる。
【００１７】
前記主収容室３の両側大マチ部５の外側下方で背板側に取付ける第１のベルト連結具２０ａは、図１から５に示すごとく、硬質合成樹脂材により形成したかぶせ片２１ａと、該かぶせ片の係止軸部２３ａに回動可能に遊嵌する接続環３８ａと、前記主収容室３の内壁面側から前記かぶせ片２１を固着する固定板３２ａとにより構成されている。
【００１８】
前記第１のベルト連結具２０ａを構成するかぶせ片２１ａは、図３、４、５に示すごとく、楕円形に形成したかぶせ部２２ａのかなめ部分の裏面垂直方向に係止軸部２３ａを設け、該係止軸部を中心として放射方向に湾曲させたガイド部２４ａを一体に形成し、該ガイド部の両側と前記係止軸部の軸心方向に支持穴２５ａをそれぞれ設けてある。前記かぶせ部の形状は、前記楕円形だけでなく、円形、方形など自由に形成してもよいことは勿論である。
【００１９】
このかぶせ片２１ａのかぶせ部２２ａの表面を緩やかに湾曲させてランドセルの横幅方向への突出部分を極力少なくすることにより、ベルト連結具２０ａが他の学童を引掻いて怪我をさせたり、他の物体に当たった時の衝撃でベルト連結具２０ａが破損したり脱落するのを防止することができる。
【００２０】
前記固定板３２ａは、図３、４に示すごとく、前記かぶせ片２１ａの支持穴２５ａと合致する位置にピン孔３３ａをそれぞれ設けてある。この固定板３２ａのピン孔３３ａから固定ピン４２を挿入圧着してかぶせ片２１ａを大マチ部５に圧着固着する。
【００２１】
前記接続環３８ａは、図２、３、４に示すごとく、前記かぶせ片２１ａの係止軸部２３ａに回動可能に遊嵌する支持孔３９ａと下部ベルト１３、１６の一端を連結するベルト孔４０ａを設けてなり、この接続環３８ａの回動方向は、図２に示すごとく、前記かぶせ片２１ａのガイド部２４ａの両端に当接する約１００度の範囲で回動可能に形成してある。
【００２２】
前記ベルト連結具２０ａの組立は、図４に示すごとく、接続環３８ａの支持孔３９ａをかぶせ片２１ａの係止軸部２３ａに遊嵌した後、主収容室３の内側壁面側に位置した固定板３２ａのピン孔３３ａから固定ピン４２をそれぞれ挿入圧着してかぶせ片２１ａを大マチ部５に固着する。このベルト連結具２０ａを構成する各部品を連結する固定ピン４２は、圧入ピン、かしめピンなどの公知の圧着ピンを使用して圧着固定する。
【００２３】
本考案の第２の実施の形態を図面に基づいて説明すると、図６は第２のベルト連結具の分解斜視図、図７は第２のベルト連結具の側面図、図８は第２のベルト連結具の中央縦断面図、図９は第２のベルト連結具の中央横断面図、図１０は第２のベルト連結具のかぶせ片の底面図、図１１は基板の平面図、図１２は図１１のＡ―Ａ線断面図、図１３は第２のベルト連結具の固定板の平面図、図１４は図１３のＢ―Ｂ線断面図である。ランドセル１の主収容室３の両側大マチ部５の外側下方に取付ける第２のベルト連結具２０ｂは、図６から１４に示すごとく、硬質合成樹脂材により形成した基板２７と、該基板に嵌合するかぶせ片２１ｂと、該かぶせ片の係止軸部２３ｂに回動可能に遊嵌する接続環３８ｂと、前記主収容室３の内壁面側から前記かぶせ片２１ｂと基板２７を固着する固定板３２ｂとにより構成されている。
【００２４】
前記第２のベルト連結具２０ｂを構成するかぶせ片２１ｂは、図６、８、９、１０に示すごとく、扇状に形成したかぶせ部２２ｂのかなめ部分の裏面垂直方向に係止軸部２３ｂを設け、該係止軸部を中心として放射方向に湾曲させたガイド部２４ｂを一体に形成し、該ガイド部の両側と前記係止軸部の軸心方向に支持穴２５ｂをそれぞれ設けてある。
【００２５】
このかぶせ片２１ｂのかぶせ部２２ｂの表面を緩やかに湾曲させてランドセルの横幅方向への突出部分を極力少なくすることにより、ベルト連結具２０が他の学童を引掻いて怪我をさせたり、他の物体に当たった時の衝撃でベルト連結具２０ｂが破損したり脱落するのを防止することができる。
【００２６】
前記基板２７は、図６、１１、１２に示すごとく、表面に前記かぶせ片２１ｂの係止軸部２３ｂとガイド部２４ｂとがそれぞれ合致する位置に、係止軸溝部２８とガイド溝部２９を設けて嵌合可能に形成し、前記かぶせ片２１ｂの各支持穴２５ｂと合致する位置にピン孔３０をそれぞれ設けてある。この基板２７にかぶせ片２１ｂを嵌合させて取付けることにより、ランドセル１またはベルト連結具２０ｂが物体に当たった時の衝撃で、嵌合部分が外れたり、接続環３８が外れたりするのを防止することができる。
【００２７】
前記固定板３２ｂは、図６、１３、１４に示すごとく、前記かぶせ片２１ｂの支持穴２５ｂおよび基板のピン孔３０とそれぞれ合致する位置に段部を有した鍔付ピン孔３３ｂをそれぞれ設けてある。この固定板３２ｂの鍔付ピン孔３３ｂから固定ピン４２を挿入圧着して基板２７とかぶせ片２１ｂとを大マチ部５に固着する。
【００２８】
前記接続環３８ｂは、図６、７、８、９に示すごとく、前記かぶせ片２１ｂの係止軸部２３ｂに回動可能に遊嵌する支持孔３９ｂと下部ベルト１３、１６の一端を連結するベルト孔４０ｂを設けてなり、この接続環３８ｂの回動方向は、図９に示すごとく、前記かぶせ片２１ｂのガイド部２４ｂの両端に当接する約１２０度の範囲で回動可能に形成してある。
【００２９】
前記第２のベルト連結具２０ｂの組立は、図７、８に示すごとく、接続環３８ｂの支持孔３９ｂをかぶせ片２１ｂの係止軸部２３ｂに遊嵌した後、係止軸部２３ｂとガイド部２４ｂの端部を前記基板２７の係止軸溝部２８とガイド溝部２９にそれぞれ嵌合し、次いで、主収容室３の内側壁面側に位置した固定板３２ｂの鍔付ピン孔３３ｂから固定ピン４２をそれぞれ挿入圧着して基板２７とかぶせ片２１ｂとを大マチ部５に固着することができる。この第２のベルト連結具２０ｂを構成する各部品を連結する固定ピン４２は、圧入ピン、かしめピンなどの公知の圧着ピンを使用して圧着固定する。
【００３０】
さらに前記第１、２のベルト連結具２０ａ、２０ｂは、図１５に示すごとく、大マチ部５の下部に硬質合成樹脂材により形成した補強板３５を介在させて前記かぶせ片２１ａと固定板３２ａ、または基板２７とかぶせ片２１ｂと固定板３２ｂとを固着させることにより、外部からの衝撃による第１、２のベルト連結具２０ａ、２０ｂの破損や脱落を防止することができる。
【００３１】
図１７、１８に示す合成繊維材または帆布などの軽量で丈夫な布材により形成した第３、４のベルト連結具５０、５０´は、全体を三角形または矩形に形成し、図１７に示す第３のベルト連結具５０は、長尺部分の一端はランドセル１の主収容室３を構成する大マチ部５の下方に縫着し、他端は背板側に突出させた取付部５１を形成し、該取付部に前記布製の下部ベルト１３の下端を縫着して固定してある。したがって、軽量で丈夫な布材により形成した下部ベルト１３とベルト連結具５０を使用することにより、軽量で安価なランドセルを提供することができる。
【００３２】
図１８に示す第４のベルト連結具５０´は、主収容室３を構成する背板４と大マチ部５との境で対称位置に取付け、このベルト連結具５０´の取付部５１´を背板４側に突出させ、該取付部に前記下部ベルト１３の下端を縫着して連結してある。したがって、構造が簡単で軽量で丈夫な布製の第４のベルト連結具５０´を取付けることにより、ランドセルの軽量化とコストダウンを図ることができるので経済的である。
【００３３】
以下、本考案の実施形態の作用について説明すると、ランドセル１は、主収容室３の外側（大マチ部）下方で背板側に第１、２、３、４のベルト連結具２０ａ、２０ｂ、５０、５０´を取付けることにより、背負ベルト１１の下支点を幅方向に広げることができるので、腕を通す場合に脇を広くすることができ高学年の学童でもランドセルの背負い降しをスムースに行うことができる。
【００３４】
さらに、背負ベルト１１の下支点を幅方向に広げることにより、肩ベルト１２と下部ベルト１３とを直線上に連結することができるので、ベルトの製造工程が簡単で安価に製造することができ経済的である。また、下部ベルト１３、１６がランドセルの下辺と当たらないので背負ベルト１１に擦れることにより生じるキズができないようにして長持ちさせることができる。
【００３５】
第１のベルト連結具２０ａは、下部ベルト１３、１６の下端に連結した接続環３８ａと、該接続環を回動可能に遊嵌する係止軸部２３ａを有するかぶせ片２１ａと、前記主収容室３の内壁面側から前記かぶせ片２１ａを固着する固定板３２ａとの少数部品により構成されることから軽量で組立が簡単でコストも安価で経済的である。
【００３６】
その組立は、下部ベルト１３、１６の下端に連結した接続環３８ａをかぶせ片２１ａの係止軸部２３ａに回動可能に遊嵌し、主収容室３の内側に位置した固定板３２ａの鍔付ピン孔３３ａから固定ピン４２をそれぞれ挿通圧着してかぶせ片２１ａを大マチ部５に固着する。したがって、第１のベルト連結具２０ａに回動可能に取付けた接続環３８ａは、周方向にのみ回動可能であるため、背負いベルト１１がランドセル１の幅方向に広がるのを防止することができる。
【００３７】
第２のベルト連結具２０ｂは、下部ベルト１３、１６の下端に連結した接続環３８ｂと、該接続環を回動可能に遊嵌する係止軸部２３ｂを有するかぶせ片２１ｂと、前記主収容室３の両側大マチ部５の下方に位置する基板２７と、前記主収容室３の内壁面側から前記かぶせ片２１ｂと基板２７とを固着する固定板３２ｂとの構造が簡単な部品により構成されることから組立が簡単でコストも安価で経済的である。
【００３８】
その組立は、下部ベルト１３、１６の下端に連結した接続環３８ｂをかぶせ片２１ｂの係止軸部２３ｂに回動可能に遊嵌し、該係止軸部とガイド部２４ｂを前記基板２７の係止軸溝部２８とガイド溝部２９にそれぞれ嵌合し、主収容室３の内側に位置した固定板３２ｂの鍔付ピン孔３３ｂから固定ピン４２をそれぞれ挿通圧着して基板２７とかぶせ片２１ｂとを大マチ部５に固着する。したがって、第２ベルト連結具２０ｂに回動可能に取付けた接続環３８ｂは、周方向にのみ回動可能であるため、背負いベルト１１がランドセル１の幅方向に広がるのを防止することができる。
【００３９】
第２のベルト連結具２０ｂのかぶせ片２１ｂは、かぶせ部２２ｂを扇状に広げて形成することにより、ランドセル１の横幅方向への突出部分を極力少なくし、且つ、突起部分を少なくすことにより、歩行中に背負いベルトが思わぬところに引掛かって怪我することを防止することができる。さらには、かぶせ片２１ｂのかぶせ部２２ｂの形状は、前記楕円形または扇形に限定されるものではなく、ランドセルに合わせて自由に変形することは可能であることは勿論である。  
【００４０】
前記かぶせ片２１ｂは、かぶせ部２２ｂのかなめ部分の裏面に係止軸部２３ｂを設け、該係止軸部を中心とした放射方向で１８０度方向に湾曲させたガイド部２４ｂを一体に形成し、係止軸部２３ｂに遊嵌させた接続環３８ｂの回動方向をガイド部２４の両端が当接する範囲（約１２０度）に規制することにより、下部ベルト１３、１６の無駄な動きを押さえることができるので、背負いベルト１１を通してランドセル１が背中から離れて揺動することを防止できる。
【００４１】
前記かぶせ片２１ｂは、係止軸部２３ｂとガイド部２４ｂを基板２７に設けた係止軸溝部２８とガイド溝部２９に嵌合させて取付けたことにより、背負いベルト１１を外部からの衝撃などにより接続環３８ｂがかぶせ片２１ｂから外れるのを防止することができる。
【００４２】
さらには、第１、２のベルト連結具２０ａ、２０ｂが破損したり脱落するのを防止するため、基板２７と大マチ部５との間に強度性を有する補強板３５を介在させることにより、ランドセルの背負いベルト１１を悪戯や思わぬところに引っ掻けたときの強い衝撃などにより破損したり脱落するのを防止することができる。
【００４３】
第３、４のベルト連結具５０、５０´は、それぞれ軽量で丈夫な布材により形成したことにより、ランドセルの軽量化と、連結具の構成部品を少なくして製造コストを安価にすることができ経済的である。
【符号の説明】
【００４４】
１      ランドセル
２      ランドセル本体
３      主収容室
４      背板
５      大マチ部
６      副収容室
８      前ポケット
９      蓋板
１１    背負いベルト
１２    肩ベルト
１３    下部ベルト
１４    帯地片
１５    長さ調節片
１６    下部ベルト
１７    ベルト地
１８    バックル部
２０ａ  第１のベルト連結具
２１ａ  かぶせ片
２２ａ  かぶせ部
２３ａ  係止軸部
２４ａ  ガイド部
２５ａ  支持穴
３２ａ  固定板
３３ａ  鍔付ピン孔
３５    補強板
３８ａ  接続環
３９ａ  支持孔
４０ａ  ベルト孔
２０ｂ  第２のベルト連結具
２１ｂ  かぶせ片
２２ｂ  かぶせ部
２３ｂ  係止軸部
２４ｂ  ガイド部
２５ｂ  支持穴
２７    基板
２８    支持軸溝部
２９    ガイド溝部
３０    ピン孔
３２ｂ  固定板
３３ｂ  鍔付ピン孔
３６    ピン孔
３８ｂ    接続環
３９ｂ    支持孔
４０ｂ    ベルト孔
４２    固定ピン
５０    第３のベルト連結具
５０´  第４のベルト連結具
【図１】
0003201720.tif 000003
【図２】
0003201720.tif 000004
【図３】
0003201720.tif 000005
【図４】
0003201720.tif 000006
【図５】
0003201720.tif 000007
【図６】
0003201720.tif 000008
【図７】
0003201720.tif 000009
【図８】
0003201720.tif 000010
【図９】
0003201720.tif 000011
【図１０】
0003201720.tif 000012
【図１１】
0003201720.tif 000013
【図１２】
0003201720.tif 000014
【図１３】
0003201720.tif 000015
【図１４】
0003201720.tif 000016
【図１５】
0003201720.tif 000017
【図１６Ａ】
0003201720.tif 000018
【図１６Ｂ】
0003201720.tif 000019
【図１７】
0003201720.tif 000020
【図１８】
0003201720.tif 000021